(57)【特許請求の範囲】
【請求項１】
スプリットボードの板の分断面が、位置合わせの為の波線形状を有することを特徴とするスプリットボード。
【請求項２】
前記ボードの長手方向に交差する断面において、前記分断面は傾斜している部分を有することを特徴とする請求項１記載のスプリットボード。
【請求項３】
前記分断面の傾斜の角度は、周期的に変動していることを特徴とする請求項２記載のスプリットボード。
【発明の詳細な説明】
【技術分野】
【０００１】
本発明は、波形接合面（分断面）を持つスプリットボードに関する。  
【背景技術】
【０００２】
スプリットボードは、バックカントリーでスノーボードを楽しむ為のメインツールの一つであり、登坂時はスノーボードを縦に２二つに割り、スキーのように両足に装着し使用出来る機能の備わったスノーボードである。（特許文献１参照）
【０００３】
登坂時は歩行用スキーとしてスノーボードを２つに別け、バインディングをそれぞれの板に対して縦方向、スキーのような方向で取り付け、クライミングスキンをソールに貼付け使用する。スノーボーダーが徒歩で雪山を登る為には、スノーシューやスプリットボードなどで浮力を得る事が雪上歩行において必要不可欠である。
【０００４】
いざ滑り降りる際には、二つの板をスノーボードの形につなぎ合わせ、一般的なスノーボードの様にバインディングをセットしてとして滑走する。
【先行技術文献】
【特許文献】
【０００５】
【特許文献１】実用新案登録第３０８７５２９号公報
【発明の概要】
【発明が解決しようとする課題】
【０００６】
上記のスプリットボードは、その機能によって多くの恩恵を受けられるが、登坂時の歩行用スキーの状態から、滑走時のスノーボードの状態にする為に変換作業を雪山の上で行わなければならない上に、一般のスノーボードに比べて重量的、滑走性能的なデメリットは否めない。
歩行時の状態から、またスノーボードの状態にする際、通常、板のノーズ部とテール部の各４カ所のクリップと専用に設計されたバインディングの構造によって２枚の板が組み合わされスノーボードの形状を成す構造になっている。
２枚の板を組み合わせる際は、スノーボードのノーズ部とテール部に取り付けられたクリップで位置合わせを行い、専用バインディングを取り付ける事により２枚の板を固定する。上記クリップとバインディングの取り付けのみでつなぎ合わされたスノーボードは、一枚の板で形成された一般的なスノーボードと比べて滑走性能においても明らかに完璧なものとは言えなかった。
ありとあらゆるコンディションが想定される雪山の上での作業性の難とスノーボードとしての不完全性がスプリットボードの一番の欠点である。スキー登坂時からスノーボード滑走時への変換作業時の更なる手軽さ、位置決め取り付けの正確さ、確実さを改良するアイデアは、冬山でバックカントリースノーボードを安全に楽しむ為に常に進化が求められる重要な要素である。
【課題を解決するための手段】
【０００７】
本発明のスプリットボードは、スプリットボードの板の分断面が、位置合わせの為の波線形状を有することを特徴とする。
すなわち、ボードを構成する２つの板の接合面（分断面）を波線で構成し、２つの板を組み合わせる際に、決められたその１点でのみ確実に組み合わさるように設計された波形接合面形状を持たせている。
【発明の効果】
【０００８】
本発明の波形接合面（分断面）形状を持つスプリットボードによれば、歩行時に２枚に別けられたスプリットボードを一枚のスノーボードとして止め合わせる変換作業時において、その波線断面形状により、位置合わせが明確かつ確実に行えるようになり、雪山での変換作業のスピードアップが期待できるだけでなく、組み合わされた２枚の板は、板自体の形状によってズレを抑制できるため、今までのように直線で分断された２枚の板がクリップやバインディングだけで接合、保持された状態に比べて、接合性が大きく向上する。よって、スノーボード状態での不完全性が従来よりも軽減され、スノーボード滑走時の不安定さ、板同士のズレ、スプリットボードがスノーボードに劣る滑走性能の問題を、大きく改善する。
【０００９】
また、登坂時、歩行時においても図２に示されるように、波形の切断面がそれぞれ両足の外側に来る為、方斜面を登坂する際や固い雪などにも、雪面とのエッジング、グリップ力が向上し、より安全かつ確実なスキー登坂が可能となる。
【図面の簡単な説明】
【００１０】
【図１】スノーボード滑走状態の本発明のスプリットボード
【図２】登坂、歩行時の状態にした本発明のスプリットボード
【図３】第一実施例に示す接合面の波線の幅、長さを示す図
【図４】第２実施例に示す波線接合面のテーパー角を示す図
【発明を実施するための形態】
【実施例１】
【００１１】
図１に示すように、スプリットボードの接合面（分断面）を波線で構成し、二枚の板を組み合わせる際に、決められたその１点でのみ確実に組み合わすことができる。
スノーボードを２つに割りそれをスキーとして登坂時などに使う道具、スプリットボードに対し、従来通りの中心を直線分割する方法から、波線を用いた分割とする。その波線の幅（図３のＷ）は全体で５０ｍｍ以内程度、縦（図３のＬ）で５０ｍｍ〜５００ｍｍ程度とする。無論、過剰なカーブやアングル、切断形状は滑走性能に悪影響となる事が考えられるため、そのスプリットボードの長さ、それを使うであろう、ターゲット層に合わせた波線形状になるのが望ましい。分断面には通常、鉄やステンレスのエッジが付くのが一般的だが、エッジの有無は、問わない。
【実施例２】
【００１２】
上記実施例1のスプリットボード波線分断面(図１のａ)に対し、図４に示されるように立面図方向で２０°以内程度の角度でテーパーを入れる事も効果的である。２つの板を合わせた時にそのテーパー角に対応する分断面はそれに沿う逆向きのテーパー形状を持つ(図４のａ−ｂまたはｅ−ｆ)。このテーパー角は波線分断面に合わせ左右のテーパー角が互い違いに組み合わさるように形成され、その分断面は２枚の板をつなぎ合わせたスノーボードの状態において、さらに上下の動きをも抑制し、滑走時状態のスプリットボードの保持状態を大幅に改善する。
すなわち、ボードの長手方向に交差する断面において、分断面の角度が周期的に変動している（分断面がボードの平面に対して直交する線に対して、一の方向に傾いた部分、一の方向とは反対の方向に傾いた部分を有し、傾きが一の方向に徐々に大きくなり所定値になってから徐々に小さくなり、反対の方向に徐々に大きくなり、所定値になってから徐々に小さくなるというように変動している）。
【符号の説明】
【００１３】
ａ  接合面（分断面）
ｂ 金属クリップ
ｃ  バインディング取り付け穴
ｄ  歩行用バインディング取り付け穴   
ｅ 樹脂クリップ
Ｗ  波線幅
Ｌ  波線長
ａ-ｂ断面１
ｃ-ｄ断面２
ｅ-ｆ断面３
【要約】 
【課題】
スプリットボードは、その機能によって多くの恩恵を受けられるが、登坂時の歩行用スキーの状態から、滑走時のスノーボードの状態にする為に変換作業を雪山の上で行わなければならない上に、一般のスノーボードに比べて重量的、滑走性能的なデメリットは否めない。
ありとあらゆるコンディションが想定される雪山の上での作業性の難とスノーボードとしての不完全性がスプリットボードの一番の欠点である。スキー登坂時からスノーボード滑走時への変換作業時の更なる手軽さ、位置決め取り付けの正確さ、確実さを改良するアイデアは、冬山でバックカントリースノーボードを安全に楽しむ為に常に進化が求められる重要な要素である。
【解決手段】
本発明は、スプリットボードの接合面（分断面）を波線で構成し、二枚の板を組み合わせる際に、決められたその１点でのみ確実に組み合わさるように設計された波形接合面形状を持たせたスプリットボードである。
【選択図】  図３【図１】
0005620597.tif 000002
【図２】
0005620597.tif 000003
【図３】
0005620597.tif 000004
【図４】
0005620597.tif 000005